(57)【要約】【課題】換気装置に使用される化粧パネルにおいて、化粧パネルの着脱を容易にし、かつ安全に作業ができるパネルを提供することを目的とする。【解決手段】室内の空気を吸い込んで室外へ排出する換気装置１であって、本体の一面を本体前面２として室内に露出し、この本体前面２に排気吸込口３を設けるとともに、この本体前面２と同等以上の面積を有する化粧パネル１１を設け、この化粧パネル１１には、外周近傍の内側に凸部２０を設け、本体前面２側には、凸部２０に対向する位置に弾性機構を有する保持部２７を設け、化粧パネル１１は、周囲に設けた凸部２０を保持部２７に差し込んで固定したことにより、本体前面２に対面して化粧パネル１１を押込むだけで化粧パネル１１が取付けられ、かつ、化粧パネル１１を引っ張るのみで取外すこととなるので、化粧パネル１１の着脱を容易にし、かつ安全に作業ができる。【選択図】図４
2014142076.tif 000002
【特許請求の範囲】
【請求項１】
室内の空気を吸い込んで室外へ排出する換気装置であって、
本体の一面を本体前面として室内に露出し、
この本体前面に排気吸込口を設けるとともに、この本体前面と同等以上の面積を有する化粧パネルを設け、
この化粧パネルには、外周近傍の内側に凸部を設け、
前記本体前面側には、前記凸部に対向する位置に弾性機構を有する保持部を設け、
前記化粧パネルは、周囲に設けた前記凸部を前記保持部に差し込んで固定することを特徴とする換気装置。
【請求項２】
前記凸部は、前記化粧パネルの四隅近傍に設けたことを特徴とする請求項１記載の換気装置。
【請求項３】
前記本体前面には複数個の雄側ボスを設け、
前記化粧パネルには前記雄側ボスと対向する位置に、前記雄側ボスの外形より大きい内径を有する円筒型の雌側ボスを設け、
前記雄側ボスと前記雌側ボスは、前記化粧パネル装着時に前記凸部が前記保持部に差込まれるよりも前に嵌合することを特徴とする請求項１または２記載の換気装置。
【請求項４】
前記雌側ボスの内径は、入口部分が大きく、奥に向かって狭くなるようにした請求項３記載の換気装置。
【発明の詳細な説明】
【技術分野】
【０００１】
本発明は、建物内に据え付けられる換気装置に関する。
【背景技術】
【０００２】
従来、この種の換気装置としては、ルーバーに設けたばねを、換気装置の本体に設けた係合孔に差込むことで、ルーバーを取付ける構成とした換気装置が知られている。（例えば、特許文献１参照）。
【０００３】
以下、その換気装置について図１０および図１１を参照しながら説明する。
【０００４】
図に示すように、固定具１０４は、開口部１０１およびねじ孔部１０２を設け、ルーバー１０３内面に開口部１０１を一方向に向けて設けられている。ばね取付具１１１は、開口部１０１に挿入される形状で突部１０５を設けた一辺１０６と、ねじ孔部１０２に対向するねじ挿入孔１０７を設けた他辺１０８とを略コの字状に形成した取付部１０９を両端に有し、二また状のばね１１０を取付けるものである。そして、ねじ１１２によりばね取付具１１１を固定具１０４に取付けてルーバー１０３は構成されている。ルーバー１０３は、ばね１１０の幅を縮少して換気装置の本体１１３に設けた係合孔１１４に差込み、弾性力により取付ける。このような、換気装置においては、ルーバー１０３の中心部にばね１１０の固定具を設けていたので、設置した天井等の面（あるいは、本体１１３の前面）とルーバー１０３の周囲の隙間ができやすくなっていた。
【先行技術文献】
【特許文献】
【０００５】
【特許文献１】特開２００３−６５５９２号公報
【発明の概要】
【発明が解決しようとする課題】
【０００６】
このような本体にパネルを有する換気装置においては、小型の場合には、ばねを縮少し本体の係合孔に差込む作業は比較的簡単であるが、大型の化粧パネルを着脱する際には、ばねを縮少し本体の係合孔に差込む作業は、係合孔が確認しづらく、さらには、高所へ取付けする場合が多いため、作業性が困難になっていたという課題があった。
【０００７】
発明は、このような従来の課題を解決するものであり、化粧パネルに設けた凸部を、本体側に設けた保持部に差込むことで、化粧パネルの着脱を容易にし、かつ安全に作業ができるパネルを提供することを目的とする。
【課題を解決するための手段】
【０００８】
そして、この目的を達成するために、本発明は、室内の空気を吸い込んで室外へ排出する換気装置であって、本体の少なくとも一面を本体前面として室内に露出し、この本体前面には、排気吸込口を設けるとともに、この本体前面と同等以上の面積を有する化粧パネルを設け、この化粧パネルには、外周近傍の内側に凸部を設け、前記本体前面側には、前記凸部に対向する位置に弾性機構を有する保持部を設け、前記化粧パネルは、周囲に設けた前記凸部を前記保持部に差し込んで固定することを特徴としたものであり、これにより所期の目的を達成するものである。
【発明の効果】
【０００９】
本発明によれば、室内の空気を吸い込んで室外へ排出する換気装置であって、本体の少なくとも一面を本体前面として室内に露出し、この本体前面に排気吸込口を設けるとともに、この本体前面と同等以上の面積を有する化粧パネルを設け、この化粧パネルには、外周近傍の内側に凸部を設け、前記本体前面側には、前記凸部に対向する位置に弾性機構を有する保持部を設け、前記化粧パネルは、周囲に設けた前記凸部を前記保持部に差し込んで固定するという構成にしたことにより、前記本体前面に対向して前記化粧パネルを押込むだけで前記化粧パネルが取付けられ、かつ、前記化粧パネルを引っ張るのみで取外すこととなるので、化粧パネルの着脱を容易にし、かつ安全に作業ができるという効果を得ることができる。
【図面の簡単な説明】
【００１０】
【図１】本発明の実施の形態１の換気装置を示す下方斜視図
【図２】同換気装置を示す側面断面図
【図３】同換気装置の排気風路を示す部分斜視図
【図４】同換気装置の化粧パネルの斜視図
【図５】化粧パネルの凸部の（ａ）凸部品取付前の斜視図、（ｂ）凸部品取付斜視図
【図６】本体前面を示す下方斜視図
【図７】保持部の構成を示す斜視図（ａ）キャッチャー取付前の図、（ｂ）キャッチャー取付後の図
【図８】凸部と保持部の嵌合状態示す部分断面図
【図９】ボスの構成を示す断面図（ａ）化粧パネル取付前の概要図、（ｂ）化粧パネル取付後の概要図
【図１０】従来の換気装置の構成図
【図１１】従来の換気装置の取付け状態を示す斜視図
【発明を実施するための形態】
【００１１】
本発明の請求項１記載の換気装置は、室内の空気を吸い込んで室外へ排出する換気装置であって、本体の一面を本体前面として室内に露出し、この本体前面に排気吸込口を設けるとともに、この本体前面と同等以上の面積を有する化粧パネルを設け、この化粧パネルには、外周近傍の内側に凸部を設け、前記本体前面側には、前記凸部に対向する位置に弾性機構を有する保持部を設け、前記化粧パネルは、周囲に設けた前記凸部を前記保持部に差し込んで固定するという構成を有する。これにより、前記本体前面に対面して前記化粧パネルを押込むだけで前記化粧パネルが取付けられ、かつ、前記化粧パネルを引っ張るのみで取外すこととなるので、前記化粧パネルの着脱を容易にし、かつ安全に作業ができるという効果を奏する。
【００１２】
また、前記凸部を前記化粧パネルの四隅近傍に設けたという構成にしてもよい。これにより、前記化粧パネルが前記本体前面の四隅で固定されることとなるので、前記化粧パネル設置後、隙間の発生し易い本体と前記化粧パネルの四隅の隙間が軽減され、デザイン性を損なわないという効果を奏する。
【００１３】
また、前記本体前面には複数個の雄側ボスを設け、前記パネルには前記ボスと対向する位置に、前記雄側ボスの外形より大きい内径を有した円筒型の雌側ボスを設け、前記雄側ボスと前記雌側ボスは、前記化粧パネル装着時に前記凸部が前記保持部に差込まれるよりも前に嵌合するという構成にしてもよい。これにより、前記雌側ボスに前記雄側ボスを挿入することによって、前記化粧パネルの位置合わせを行い、その後、前記凸部を前記保持部に挿入して固定することとなるので、前記化粧パネルの取付けが容易になるという効果を奏する。
【００１４】
以下、本発明の実施の形態について図面を参照しながら説明する。
【００１５】
（実施の形態１）
図１に示すように、換気装置１は、箱状の本体の一面を本体前面２として室内に露出し、この本体前面２に排気吸込口３を備え、側面に、外気吸込口４、外気吹出口５、排気口６が設けられている。図２、図３に示すように、換気装置１の内部には、外気吸込口４から外気吹出口５に至る給気風路７と、排気吸込口３から排気口６に至る排気風路８を備えている。給気風路７においては、新鮮な室外の空気を、換気装置１の本体側面９の外気吸込口４から吸込み、換気装置１本体の内部に配置した熱交換素子１０を通って、外気吹出口５から室内に吹出す。一方、排気風路８では、室内の汚れた空気は、換気装置１の本体前面２に設置した化粧パネル１１の排気吸込口３と連通しているパネル吸込口１２より吸込まれ、換気装置１本体の内部に配置した熱交換素子１０を通って、排気口６から室外に吹出す。このとき、給気風路７と排気風路８は、熱交換素子１０において交差する。そして、熱交換素子１０は、給気風路７と排気風路８を通過する室内外の空気の熱量を交換する機能を有している。排気吸込口３は、熱交換素子１０に設けられた排気風路８の入口の面に設けられる。
【００１６】
図２に示すように、室内用ファン１３は、給気風路７内に設けられ、室外用ファン１４は、排気風路８内に設けられる。そして、室内用ファン１３と室外用ファン１４は、電動機１５に同一の回転軸１６にて連結されてファンモーター１７を構成している。外気吸込口４から導入される新鮮な空気と排気吸込口３から排気される汚れた空気は、ファンモーター１７により、それぞれ給気風路７と排気風路８を流れる。このとき熱交換素子１０は空気の流れに対して、室内用ファン１３と室外用ファン１４の上流側に位置している。
【００１７】
また、図４に示すように、本体前面２に設置される化粧パネル１１は、外周が薄く、中央部分が肉厚、あるいは、ふくらんだ形状となっている。つまり、中央部分から外周に向かいテーパー状にラウンドした湾曲面１９となっている。この化粧パネル１１の外周近傍の内側（室内に面した面を表面としたときの裏面）、すなわち、本体前面２側には、湾曲面１９に対し垂直方向に突出する凸部２０が化粧パネル１１の四隅および中央に複数個設けられている。言い換えれば、凸部２０は、取り付ける本体前面２に対して鉛直に突出することになる。詳細に説明すると、図５に示すように、凸部２０は、化粧パネル１１に一体成形した台座２４と、この台座２４に嵌めこむ凸部品２６とで構成されている。台座２４は、化粧パネル１１からの立ち上げ部に水平方向（凸部２０の突出方向と直交する方向）に開口したスリット部２１と、このスリット部２１に平行に設けた係止リブ２３とで構成される。係止リブ２３の先端には、つめ形状の係止部２２が一体に成形されている。凸部品２６は、スリット部２１に挿入される台部２６ａとこの台部２６ａに鉛直方向に突出する先端部２５で構成される。先端部２５は、先端がふくらんだ形状である。そして、凸部品２６を、台座２４のスリット部２１にスライドして挿入し、係止部２２を台部２６ａの端部に引掛けて固定される。
【００１８】
また、図６に示すように、本体前面２には、凸部２０に対向する位置に弾性機構を有する保持部２７が設けられている。詳細に説明すると、図７に示すように、保持部２７は、ベース２９とこのベース２９に取り付けたキャッチャー３１を有している。ベース２９には、両端に２個設けた長穴２８と、前面にＶ字状に先端が分かれたＶ字リブ２９ａが設けられている。キャッチャー３１は、このＶ字リブ２９ａとのＶ字リブ２９ａの両先端に設けた筒形状のコロ部３０とで構成されている。キャッチャー３１のＶ字リブ２９ａは、弾性を有している。ベース２９は、長穴２８を設けた部分を本体前面２に成形したキャッチャースリット３２に差し込み、本体前面２に成形したねじ穴を有する半円ボス３３にねじ止めして構成している。
【００１９】
保持部２７と凸部２０との嵌合について説明する。図８に示すように、化粧パネル１１の凸部２０の先端部２５は、保持部２７に設けたキャッチャー３１の間に差し込まれる。先端部２５は、膨らんだ形状をしているので、その首の部分をキャッチャー３１のコロ部３０が挟みこんで結合することになる。
【００２０】
このような構成によれば、化粧パネル１１は、凸部２０を保持部２７に差し込んで固定したことにより、本体前面２に対向して化粧パネル１１を押込むだけで化粧パネル１１が取付けられることになる。そして、化粧パネル１１を外すときには、化粧パネル１１を引っ張るのみで取外すことができる。このように、化粧パネル１１の裏側に手を入れて作業する必要がなくなる。すなわち、大きな化粧パネル１１であっても、化粧パネル１１の着脱を容易にし、かつ安全に作業ができることになる。
【００２１】
また、化粧パネル１１は、本体前面２の少なくとも四隅で固定されることとなるので、四隅において、化粧パネル１１と本体前面２との隙間がなくなる。設置後、隙間の発生し易い本体とパネルの四隅の隙間が軽減され、デザイン性を損なわない。
【００２２】
また、図９に示すように、本体前面２には、本体前面２に対して垂直方向に突出した円注形の雄側ボス３４が設けられている。一方、化粧パネル１１には、雄側ボス３４と対向する位置に、雄側ボス３４外形より大きい内径を有した円筒形状の雌側ボス３５が設けられている。雄側ボス３４と雌側ボス３５は、凸部２０や保持部２７より高さを高く成形して、化粧パネル１１装着時に凸部２０が保持部２７に差込まれる前に挿入される構成としている。
【００２３】
このような構成によれば、雄側ボス３４を雌側ボス３５に挿入することで、化粧パネル１１の位置合わせを行うこととなるので、化粧パネル１１の取付けが容易になる。
【００２４】
なお、雌側ボス３５の内径は、入口部分が広く、奥に行くに従って狭くなるテーパー状にすることによって、雄側ボス３４との嵌合を容易にすることができる。
【産業上の利用可能性】
【００２５】
本発明にかかる換気装置は、化粧パネルの着脱を容易にし、かつ、メンテ時、お手入れを容易にすることができるものであるので、住宅の換気空調のみならず、ビルや工場に使用される産業用の換気装置等として有用である。
【符号の説明】
【００２６】
１    換気装置
２    本体前面
３    排気吸込口
４    外気吸込口
５    外気吹出口
６    排気口
７    給気風路
８    排気風路
９    本体側面
１０  熱交換素子
１１  化粧パネル
１２  パネル吸込口
１３  室内用ファン
１４  室外用ファン
１５  電動機
１６  回転軸
１７  ファンモーター
１９  湾曲面
２０  凸部
２１  スリット部
２２  係止部
２３  係止リブ
２４  台座
２５  先端部
２６  凸部品
２７  保持部
２８  長穴
２９  ベース
３０  コロ部
３１  キャッチャー
３２  キャッチャースリット
３３  半円ボス
３４  雄側ボス
３５  雌側ボス
【図１】
2014142076.tif 000003
【図２】
2014142076.tif 000004
【図３】
2014142076.tif 000005
【図４】
2014142076.tif 000006
【図５】
2014142076.tif 000007
【図６】
2014142076.tif 000008
【図８】
2014142076.tif 000009
【図９】
2014142076.tif 000010
【図１０】
2014142076.tif 000011
【図１１】
2014142076.tif 000012
【図７】
2014142076.tif 000013